(57)【要約】      （修正有）【課題】たとえば外食産業の店舗等において各種の食材を摘んで食するような場合に用いられる指挿入具であって、主として使い捨て用として用いられる指挿入具に関し、油分等の付着による食事中、食後の不快感をなくすことができるという上記従来の指挿入具の利点を生かしつつ、さらに指への着用時において指の動きをスムーズにすることができ、食材等を摘む作業も容易に行うことができる指挿入具を提供する。【解決手段】手の指を挿入することができる複数の指挿入部２、３、４が、隣接する指挿入部間の指股部６、７を介して連設されているとともに、前記指挿入部の指先部分とは反対側の基端部側に、指を挿入するための開口部５を有して指挿入具本体１が形成された指挿入具において、前記指股部から前記開口部側に向かって指挿入具本体を裂断するための裂断線１０が、前記指挿入具本体に設けられている。【選択図】図１
2013076194.tif 000002
【特許請求の範囲】
【請求項１】
手の指を挿入することができる複数の指挿入部が、隣接する指挿入部間の指股部を介して連設されているとともに、前記指挿入部の指先部分とは反対側の基端部側に、指を挿入するための開口部（５）を有して指挿入具本体（１）が形成された指挿入具において、前記指股部から前記開口部（５）側に向かって指挿入具本体（１）を裂断するための裂断線が、前記指挿入具本体（１）に設けられていることを特徴とする指挿入具。
【請求項２】
前記指股部から開口部（５）にかけて区画シール部（９）が形成され、該区画シール部（９）によって前記開口部（５）が区画されて各指挿入部にそれぞれ対応する区画開口部が形成され、前記区画シール部（９）に裂断線が形成されている請求項１記載の指挿入具。
【請求項３】
指挿入具本体（１）の片面側に、接着剤（１９）を介して台紙（２０）が剥離可能に貼着されている請求項１又は２記載の指挿入具。
【発明の詳細な説明】
【技術分野】
【０００１】
本発明は、たとえば外食産業の店舗等において各種の食材を摘んで食するような場合に用いられる指挿入具であって、主として使い捨て用として用いられる指挿入具に関する。
【背景技術】
【０００２】
一般に、外食産業の店舗等においては、各種の食材を素手で摘んで食されていることが多い。このような外食産業の店舗等において、たとえばフライドチキン、ドーナツ、フライドポテト等の油分を含む食材の場合には、直接手を触れると指に油分が付着して汚れることとなるので、ナプキンを介して摘まれている。
【０００３】
しかし、このような場合に用いられるナプキンは、シート状のものを単に折り畳んだ形態のものにすぎないので、このようなナプキンで食材を摘む作業が必ずしも容易ではない。    
【０００４】
このような問題点を解決するため、従来では下記特許文献１のような実用新案登録出願がなされている。この出願は、３本指用指袋に関するもので、当該特許文献１に記載された指袋は、親指、人指し指、中指の３本の指が挿入され、その３本の指で食材を摘むことができるように構成されたものである。このような指挿入具を指に着用することによって、油分等の付着による食事中、食後の不快感をなくすことができる。
【０００５】
しかし、このような指挿入具を指に着用し、食材を摘んで食する作業を行うとき、必ずしもスムーズに指を動かすことができず、従って、食材を摘む作業もスムーズに行えないという新たな問題点が生じていた。
【先行技術文献】
【特許文献】
【０００６】
【特許文献１】実用新案登録第３１１７７６３号公報
【発明の概要】
【発明が解決しようとする課題】
【０００７】
本発明は、このような問題点を解決するためになされたもので、油分等の付着による食事中、食後の不快感をなくすことができるという上記従来の指挿入具の利点を生かしつつ、さらに指への着用時において指の動きをスムーズにすることができ、食材等を摘む作業も容易に行うことができる指挿入具を提供することを課題とする。
【課題を解決するための手段】
【０００８】
本発明は、このような課題を解決するためになされたもので、手の指を挿入することができる複数の指挿入部が、隣接する指挿入部間の指股部を介して連設されているとともに、前記指挿入部の指先部分とは反対側の基端部側に、指を挿入するための開口部を有して指挿入具本体が形成された指挿入具において、前記指股部から前記開口部側に向かって指挿入具本体を裂断するための裂断線が、前記指挿入具本体に設けられていることを特徴とする指挿入具を提供するものである。
【０００９】
かかる構成からなる指挿入具において、指挿入具本体を指に着用する場合には、各指を開口部から指挿入具本体の指挿入部に挿入して、指挿入具本体を指に容易に着用することができる。
【００１０】
一方、指挿入具本体を指に着用した後は、指挿入具本体に設けられた裂断線を介して、指股部から開口部側に向かって指挿入具本体を裂断することができる。このように指股部から開口部側に向かって指挿入具本体を裂断することで、指股部を介して連設されていた各指の指挿入部の間を少し離間させることができる。このように指挿入部の間を少し離間させることで、指の動きをスムーズにすることができる。従って、食材等を摘む作業も容易に行うことができる。
【００１１】
尚、本発明の指挿入具は、主として使い捨て用として用いられるものであるので、指挿入具を指に着用した後は、指股部から開口部側に向かって指挿入具本体が裂断されていても、特に不都合が生じるようなこともない。
【００１２】
また本発明においては、指股部から開口部にかけて区画シール部を形成し、該区画シール部によって前記開口部を区画して各指挿入部にそれぞれ対応する区画開口部を形成することができる。かかる構成とすることによって、それぞれの区画開口部から各指を指挿入部内に挿入することができるので、指挿入部へ各指を挿入する作業をより確実に行うことができる。
【００１３】
さらに本発明においては、指挿入具本体の片面側に、接着剤を介して台紙を剥離可能に貼着することができる。かかる構成とすることによって、台紙に沿わせて指を指挿入部に挿入することができるので、指を挿入する作業をより確実且つ容易に行うことができる。
【発明の効果】
【００１４】
以上のように、本発明によれば、指挿入具を指に着用する際には、各指を指挿入部に挿入して着用する作業を容易に行うことができ、指挿入具を指に着用した後は、裂断線によって指股部から開口部側に向かって指挿入具本体を裂断することができるので、食事中、食後の不快感をなくすことができるという従来の指挿入具の利点を生かしつつ、さらに指の動きをスムーズにすることができ、食材を食べる作業を容易に行うことができる指挿入具を提供することが可能となった。
【図面の簡単な説明】
【００１５】
【図１】一実施形態としての指挿入具の正面図。
【図２】図１のＡ−Ａ線断面図。
【図３】図１のＢ−Ｂ線断面図。
【図４】指挿入具を手に装着した状態の正面図。
【図５】指挿入具の指間の部分を裂断した状態の正面図。
【図６】一実施形態としての指挿入具の製造方法におけるチューブの移送工程を示す概略平面図。
【図７】図６のＣ−Ｃ線断面図。
【図８】指挿入具の輪郭部分を熱シールする工程を示す概略平面図。
【図９】チューブの両側部を切断する工程を示す概略平面図。
【図１０】熱シールした部分を切り取る工程を示す概略平面図。
【図１１】他実施形態の指挿入具の正面図。
【図１２】他実施形態の指挿入具を手に装着した状態の正面図。
【図１３】他実施形態の指挿入具の指間の部分を裂断した状態の正面図。
【図１４】他実施形態の指挿入具の正面図。
【図１５】他実施形態の指挿入具の正面図。
【図１６】図１５のＤ−Ｄ線断面図。
【図１７】他実施形態の指挿入具の正面図。
【図１８】他実施形態の指挿入具の正面図。
【図１９】他実施形態の指挿入具の正面図。
【図２０】他実施形態の指挿入具の正面図。
【図２１】他実施形態の指挿入具の正面図。
【図２２】他実施形態の指挿入具の正面図。
【図２３】他実施形態の指挿入具の要部拡大断面図。
【発明を実施するための形態】
【００１６】
以下、本発明の実施形態について説明する。
【００１７】
本発明の指挿入具は、上述のように、手の指を挿入することができる複数の指挿入部が、隣接する指挿入部間の指股部を介して連設されているとともに、前記指挿入部の指先部分とは反対側の基端部側に、指を挿入するための開口部を有して指挿入具本体が形成された指挿入具において、前記指股部から前記開口部側に向かって指挿入具本体を裂断するための裂断線が、前記指挿入具本体に設けられているものである。
【００１８】
指挿入具本体は、たとえば親指を挿入する指挿入部、人指し指を挿入する指挿入部、及び中指を挿入する指挿入部のそれぞれ３本の指挿入部のみを有して構成することができる。外食産業の店舗等での食事の際に食材を摘む作業は、もともと親指、人指し指、中指の３本の指でなされ、薬指と小指はほとんど使われることがないので、指挿入具を構成する材料を極力節減する上でも３本の指挿入部のみを有して指挿入具本体を構成することが合理的である。ただし、５本の指挿入部を有して指挿入具本体を構成することも可能である。また、食材を摘む作業の容易さの観点からは、上記のように３本の指挿入部を有していることが望ましいが、親指と人指し指の２本の指のみでも食材を摘んで食することが可能であり、従って、２本の指挿入部のみを有して指挿入具本体を構成することも可能である。
【００１９】
指挿入具本体は、油分等が浸透することのないように、たとえば合成樹脂製シートで構成することができる。この合成樹脂製シートを構成する合成樹脂の種類は問うものではないが、本発明の指挿入具が主として使い捨てを目的とすることから、製造コストが安価な汎用のポリエチレン、ポリプロピレン等を用いることが望ましい。ただし、指挿入具本体の材質は合成樹脂に限定されるものではない。たとえばゴムや不織布で手袋本体を構成することも可能である。
【００２０】
指挿入具本体の構成は特に限定されないが、たとえば表片と裏片との２枚のシート片を指の形状とし、その周縁部を熱シール等によりシールすることによって形成することができる。この場合、指挿入部の指先部分とは反対側の基端部側はシールされず、指を挿入するための開口部として形成される。また食材は指で摘んで食されるので、指挿入具本体で手首を覆う必要は必ずしもなく、指を挿入するための開口部は、指挿入具を指に着用した状態において、手首から離間して位置するように形成することが可能である。
【００２１】
また、指股部から開口部側にも熱シールを施して区画シール部を形成することができる。このような区画シール部を形成することによって、前記開口部が区画されて各指挿入部にそれぞれ対応する区画開口部が形成されることとなる。各指挿入部と対応する区画開口部が形成されることで、各指の挿入をより確実に行うことができる。
【００２２】
そして、このように形成された区画シール部上に、裂断線を形成することができる。裂断線としては、たとえばミシン目のようなものが採用される。ミシン目以外に、たとえばハーフカットのような線を裂断線として用いることもできる。ハーフカットの線としては、たとえば熱等により合成樹脂製シートを脆弱化させたものを用いることができる。このように区画シール部上に裂断線を形成することで、裂断線に沿って指挿入具本体を裂断する作業をより容易に行うことができるが、区画シール部を形成することは本発明に必須の事項ではなく、区画シール部を形成せずに裂断線のみを形成することも可能である。
【００２３】
尚、このような裂断線は、たとえば指股部から開口部の端縁に至るように形成することができるが、開口部の端縁に至ることなく、その端縁よりも手前側の途中の部分で裂断が停止されるように形成することも可能である。すなわち、本発明において「指股部から開口部側に向かって指挿入具本体を裂断する」とは、裂断線が開口部の端縁に至ることなく、その端縁の手前側の途中の部分で裂断が停止されるように指股部から開口部側に向かって裂断線が形成されているような場合も含むことを意味する。
【００２４】
さらに、指挿入具本体の片面側に、接着剤を介して台紙を剥離可能に貼着することも可能である。かかる台紙が指挿入具本体の片面側に貼着されていることで、台紙に沿わせて指を各指の指挿入部に挿入することができ、指を挿入する作業をより確実且つ容易に行うことができる。
【００２５】
さらに指挿入具本体の各指の指挿入部には、該指挿入部の周縁部から内側に窪んだ窪み部を形成することができる。かかる窪み部を形成することで、その窪み部が指への引っ掛かり部分となって、各指の指挿入部から、各指が不用意に抜け出るのが好適に防止されることとなる。
【００２６】
以下、本発明のより具体的な実施形態について図面に従って説明する。
【００２７】
（実施形態１）
本実施形態の指挿入具１７の指挿入具本体１は、図１に右手に装着する場合を例にして示すように、図１の正面視左側から順に親指を挿入する指挿入部２、人指し指を挿入する指挿入部３、及び中指を挿入する指挿入部４を具備して構成されている。指挿入具本体１は、全体が合成樹脂製シートからなり、図２及び図３に示すように、指挿入具本体１が、表面及び裏面の一片１ａと他片１ｂからなり、各指挿入部の指先側とは反対側の指挿入具本体１の基端部側には、指を挿抜するための開口部５が形成されている。
【００２８】
該開口部５を除く指挿入具本体１の周縁部には、熱シールによるシール部８が形成されている。また、隣接する指挿入部２、３、４間の指股部６、７から開口部５の端縁にかけて、熱シールによる区画シール部９が形成されている。このような区画シール部９には、指股部６、７から開口部５側に向かって挿入具本体１を裂断する裂断線であるミシン目１０が形成されている。本実施形態では、このミシン目１０は、開口部５の端縁まで至るように形成されている。また、このミシン目１０は、区画シール部９の線幅中央部を通るようにして形成されている。さらに、このミシン目１０は、指挿入具本体１の表裏両片１ａ、１ｂの双方に形成されている。
【００２９】
上記区画シール部９によって、上記開口部５がさらに区画されて、親指の指挿入部２、人指し指の指挿入部３、及び中指の指挿入部４にそれぞれ対応するように、区画開口部５ａ、５ｂ、５ｃが形成されることとなる。そして、各指の指挿入部２、３、４に対応する区画開口部５ａ、５ｂ、５ｃの開口端縁は、図１に示すように一直線状に形成されている。
【００３０】
このように区画開口部５ａ、５ｂ、５ｃの開口端縁が一直線状に形成されているのは、後述の製造方法で説明するように、長尺シートの側縁側の開口部形成予定位置で切断するため、区画開口部５ａ、５ｂ、５ｃの開口端縁が必然的に一直線状となるからである。このように区画開口部５ａ、５ｂ、５ｃの開口端縁が一直線状に形成されていることで、後述の製造方法により、多数の指挿入具を連続的に製造する上で、その製造を容易に行うことができる。
【００３１】
そして、このような構成からなる指挿入具１７を使用する場合には、図４に示すように、各指を挿入する指挿入部２、３、４内に、それぞれ親指１１、人指し指１２、及び中指１３を挿入する。このように、指挿入部２、３、４内に、親指１１、人指し指１２、及び中指１３を挿入することで、指挿入具１７が指に着用されることとなる。
【００３２】
このように、指挿入具１７が指に着用された状態においては、３つの指挿入部２、３、４が指股部６、７を介して連設された状態であり、また指挿入具本体１が合成樹脂シートで構成されているので、３本の指１１、１２、１３を動かそうとするときに必ずしも指をスムーズに動かすことができないが、本実施形態においては、親指の指挿入部２、人指し指の指挿入部３、及び中指の指挿入部４の各指挿入部２、３、４間の指股部６、７から開口部５側に区画シール部９が形成され、その区画シール部９上に裂断線であるミシン目１０が形成されているので、図５に示すように、そのミシン目１０に沿って挿入具本体１が裂断されることとなる。この結果、各挿入部２、３、４が少し離間することになるので、各指をスムーズに動かすことが可能となる。従って、たとえば食材を摘んで食べる作業も容易に行えることとなる。
【００３３】
次に、上記のような構成からなる指挿入具を製造するための製造方法について説明する。
【００３４】
先ず、図６及び図７に示すように、チューブ状に形成された合成樹脂製の長尺シート１４を移送し、平らに伸ばして合成樹脂製シートが上下に二枚重なった状態にする。該長尺シート１４は、チューブ状に形成されているので、その両側部１５、１５は、図７に示すように前記一片１ａとなる上側シートと前記他片１ｂとなる下側シートとがつながった状態に形成されている。
【００３５】
本実施形態においては、この上側シートと下側シートとを手の輪郭形状に熱シールした後に上側シートと下側シートとをシール部分に沿ってもぎり取ることにより指挿入具１７を形成させる。以下に、長尺シート１４の幅方向に指挿入具となる部分が２つ並ぶように、且つ、両側部１５、１５側に前記開口部７を形成させ、長尺シート１４の幅方向中心部に指先位置がくるように指挿入具１７を作製する場合を例にして指挿入具の製造方法を説明する。
【００３６】
先ず、図８に示すように、指挿入具の輪郭となる部分に熱シールを施し、シール部８を形成する。このとき、シール部８の外側で指挿入具の輪郭となる部分に沿っていわゆるハーフカットによる切断線を形成する。また、親指の指挿入部２、人指し指の指挿入部３、及び中指の指挿入部４間の指股部６、７から開口部形成予定部分１６に至る箇所にも熱シールを施し、区画シール部９を形成する。この場合、開口部５を形成する開口部形成予定部分１６が、長尺シート１４の両端部１５、１５よりも内側になるように、熱シールの位置を設定する。また、区画シール部９の位置に、ミシン目１０を形成する。
【００３７】
次に、図９に示すように、長尺シート１４の両側部１５、１５よりも内側に位置する開口部形成予定部分１６を切断する。このように長尺シート１４の開口部形成予定部分１６を切断することによって、開口部５が形成されることとなる。
【００３８】
次に、熱シールによってシール部８が形成された指挿入具の輪郭となる部分に沿って指挿入具本体１の部分をもぎり取りつつ、長尺シート１４を巻き取る。より具体的には、長尺シート１４をロール等に巻き取ることによって、上記のように形成されたいわゆるハーフカットによる切断線の部分に沿って指挿入具本体１の部分が自動的に切り取られることとなり、それによって図１０に示すように、上記のような形状の指挿入具が、多数連続的に製造されることとなるのである。
【００３９】
この場合において、複数の指挿入具本体１の開口部５が、長尺シート１４の両端部１５、１５の切断線に沿って連続的に形成されていくため、多数の指挿入具１７が連続的に製造されることとなり、指挿入具の製造が効率的になされることとなる。
【００４０】
（実施形態２）
本実施形態の指挿入具１７の指挿入具本体１は、図１１に示すように、親指を挿入する指挿入部２、及び人指し指を挿入する指挿入部３を具備して構成されている。親指と人指し指との２本の指を挿入する指挿入部２、３を有して構成されている点で、親指、人指し指、中指の３本の指を挿入する指挿入部２、３、４を有して構成されている上記実施形態１の場合と相違する。
【００４１】
本実施形態では指挿入具本体１が２本の指挿入部２、３のみを有して構成されているので、その指挿入部２、３に対応する区画開口部５ａ、５ｂは２個所のみに形成されている。また、本実施形態においても、実施形態１と同様に隣接する指挿入部２、３間の指股部６から、開口部５の端縁にかけて区画シール部９が形成され、該区画シール部９に裂断線であるミシン目１０が形成されている。
【００４２】
指挿入具本体１の全体が合成樹脂製シートからなる点、指挿入具本体１が表裏両片１ａ、１ｂからなる点、各指の指挿入部２、３に対応する区画開口部５ａ、５ｂの開口端縁が一直線状に形成されている点は、実施形態１と同じである。
【００４３】
本実施形態においても、図１２に示すように、各指の指挿入部２、３内に、それぞれ親指１１及び人指し指１２を挿入する。指挿入部２、３内に、親指１１及び人指し指１２を挿入して指挿入具１７を指に着用した状態においては、指をスムーズに動かすことが必ずしもできないが、本実施形態においても、隣接する指挿入部２、３間の指股部６から開口部５の端縁にかけて区画シール部９が形成され、該区画シール部９にミシン目１０が形成されているので、図１３に示すように、そのミシン目１０に沿って、各指の指挿入部２、３間の指股部６から開口部５に向かって指挿入具本体１が裂断されることとなり、実施形態１の場合と同様に、各指をスムーズに動かすことが可能となる。
【００４４】
（実施形態３）
本実施形態においては、図１４に示すように、指挿入具本体１の指挿入部に、該指挿入部の内径が絞られた絞り部が、該指挿入部の基端部側から先端部側にかけて３箇所に設けられている。このような３箇所の絞り部３３ａ、３３ｂ、３３ｃは、図１４に示すように、親指の指挿入部２、人指し指の指挿入部３、中指の指挿入部４のすべての指挿入部に設けられている。
【００４５】
絞り部３３ａ、３３ｂ、３３ｃは、指挿入部の周縁部から内側に窪んだ窪み部によって構成される。この窪み部は、手袋本体１の周縁部のシール部８において、該シール部８の他の部分よりも部分的に内側に窪むように熱シールされることによって形成されている。この窪み部は、同図に示すように、親指の指挿入部２に４箇所、人指し指の指挿入部３に４箇所、中指の指挿入部４に４箇所、それぞれ形成されている。より具体的には、指挿入部における先端部側に左右１対の窪み部１８ａ、１８ｂが形成され、さらに先端部側から基端部側にかけて２箇所に窪み部１８ｃ、１８ｄが形成されている。
【００４６】
そして、先端部側の左右１対の窪み部１８ａ、１８ｂによって、先端部側の絞り部３３ａが構成され、該窪み部１８ａ、１８ｂよりも基端部側に位置する窪み部１８ｃによって中央の絞り部３３ｂが構成され、さらに該窪み部１８ｃよりも基端部側に位置する窪み部１８ｄによって基端部側の絞り部３３ｃが構成されている。先端部側の絞り部３３ａは、各指挿入部２、３、４における縦方向軸中心部２６を中心として左右対称な位置に窪み部１８ａ、１８ｂが形成されて構成され、中央の絞り部３３ｂは、図１４の正面視右側に窪み部１８ｃが形成されて構成された非対称なものであり、基端部側の窪み部１８ｄは、図１の正面視左側に窪み部１８ｄが形成されて構成された非対称なものである。
【００４７】
このように、本実施形態においては、４個の窪み部１８ａ、１８ｂ、１８ｃ、１８ｄによって、指挿入部の基端部側から先端部側にかけて３箇所に絞り部３３ａ、３３ｂ、３３ｃが設けられていることになる。このように計４個の窪み部１８ａ、１８ｂ、１８ｃ、１８ｄによって絞り部３３ａ、３３ｂ、３３ｃが構成されている態様は、親指の指挿入部２、人指し指の指挿入部３、及び中指の指挿入部４のすべてにおいて同じである。
【００４８】
本実施形態では、上記のような絞り部３３ａ、３３ｂ、３３ｃを構成する窪み部１８ａ、１８ｂ、１８ｃ、１８ｄが指挿入部の周縁部から内側に窪んで形成されているので、各指の指挿入部２、３、４内に、それぞれ親指１１、人指し指１２、及び中指１３が挿入された際、上記窪み部１８ａ、１８ｂ、１８ｃ、１８ｄが指への引っ掛かり部分となって、各指の指挿入部２、３、４から、各指１１、１２、１３が不用意に抜け出るのが好適に防止されることとなる。
【００４９】
その一方で、４箇所の窪み部１８ａ、１８ｂ、１８ｃ、１８ｄのうち、先端部側の窪み部１８ａ、１８ｂは、縦方向軸中心部２６を中心として左右対称な位置に形成されているが、該窪み部１８ａ、１８ｂより基端部側の窪み部１８ｃ、１８ｄは、縦方向軸中心部１０を中心として左右非対称な位置に形成されているので、指を指挿入部２、３、４内に挿入する際に、先端部側及び基端部側のすべての窪み部が、縦方向軸中心部を中心として左右対称な位置に形成されている場合に比べると、容易且つスムーズに指を挿入することができる。
【００５０】
指挿入具本体１の全体が合成樹脂製シートからなる点、指挿入具本体１が表裏両片１ａ、１ｂからなる点、各指の指挿入部２、３、４に対応する区画開口部５ａ、５ｂ、５ｃの開口端縁が一直線状に形成されている点は、実施形態１と同じである。
【００５１】
また本実施形態においても、隣接する指挿入部２、３、４の間の指股部６、７から開口部５の端縁に至るようにシール部９が形成され、さらにそのシール部９上にミシン目１０が形成されている。従って、そのミシン目１０を介して、指股部６、７から開口部５側に向かって指挿入具本体１を裂断することで、実施形態１の場合と同様に各指をスムーズに動かすことが可能となる。
【００５２】
（実施形態４）
本実施形態においては、図１５及び図１６に示すように、指挿入具本体１が、剥離可能な接着剤１９を介して台紙２０に貼着されている。このように指挿入具本体１が台紙２０に貼着されていることによって、指挿入部２、３、４に各指１１、１２、１３を挿入する作業が行い易くなる。そして、各指１１、１２、１３を挿入した後は、台紙２０を指挿入具本体１から剥離することで、指挿入具本体１が指に着用されることとなる。
【００５３】
指挿入具本体１の全体が合成樹脂製シートからなる点、指挿入具本体１が表裏両片１ａ、１ｂからなる点、各指の指挿入部２、３、４に対応する区画開口部５ａ、５ｂ、５ｃの開口端縁が一直線状に形成されている点は、実施形態１と同じである。
【００５４】
また本実施形態においても、隣接する指挿入部２、３、４間の指股部６、７から開口部５の端縁にかけて区画シール部９が形成されている。このような区画シール部９には、指股部６、７から開口部５に向かって指挿入具本体１を裂断するためのミシン目１０が形成されている。これらの構成は実施形態１と同様である。従って、本実施形態においても、ミシン目１０に沿って、指挿入具本体１を裂断して、実施形態１の場合と同様に各指をスムーズに動かすことが可能となる。
【００５５】
（実施形態５）
本実施形態においては、図１７に示すように、５本の指を挿入しうる指挿入部２、３、４、２２、２３を有して指挿入具本体１が構成されている。この点で、３本の指を挿入しうる指挿入部２、３、４を有して指挿入具本体１が構成され、或いは２本の指を挿入しうる指挿入部２、３を有して指挿入具本体１が構成されていた上記各実施形態と相違している。本実施形態においても、隣接する指挿入部２、３、４、２２、２３間の指股部６、７、２４、２５から開口部５の端縁にかけて区画シール部９が形成されており、該区画シール部９上にミシン目１０が形成されている。
【００５６】
また、本実施形態においても、隣接する指挿入部２、３、４、２２、２３間の指股部６、７、２４、２５から開口部５の端縁にかけて区画シール部９が形成されており、該区画シール部９上にミシン目１０が形成されている。そして、指挿入具本体１が５本の指挿入部２、３、４、２２、２３を有して構成されているので、その指挿入部２、３、４、２２、２３に対応して５箇所に区画開口部５ａ、５ｂ、５ｃ、５ｄ、５ｅが形成されている。区画開口部５ａ、５ｂ、５ｃ、５ｄ、５ｅによって構成される開口部５の端縁は、図１７に示すように、全体として湾曲して形成されている。
【００５７】
指挿入具本体１の全体が合成樹脂製シートからなる点、指挿入具本体１が表裏両片１ａ、１ｂからなる点は、実施形態１と同じである。
【００５８】
指挿入部２、３、４、２２、２３内に、それぞれ５本の指を挿入して指挿入具１７を指に着用した状態においては、指をスムーズに動かすことが必ずしもできないが、本実施形態においても、隣接する指挿入部２、３、４、２２、２３間の指股部６、７、２４、２５から開口部５の端縁にかけて区画シール部９が形成され、該区画シール部９にミシン目１０が形成されているので、そのミシン目１０に沿って、各指の指挿入部２、３、４、２２、２３間の指股部６、７、２４、２５から開口部５に向かって指挿入具本体１が裂断されることとなり、実施形態１の場合と同様に、各指をスムーズに動かすことが可能となる。
【００５９】
（実施形態６）
本実施形態においては、図１８に示すように、親指を挿入する指挿入部２、人指し指を挿入する指挿入部３、及び中指を挿入する指挿入部４の３本の指挿入部で指挿入具本体１が構成されており、この点で、上記実施形態１と共通する。
【００６０】
本実施形態においては、指挿入部２、３、４にそれぞれ３本の指が挿入できるだけでなく、掌の部分もある程度覆うことができるように指挿入具本体１が形成されている。そして、図１８に示すように指挿入具本体１の一側縁の斜縁部分２７にはシール部８が形成されておらず、薬指と小指を裸出させることができるような開口部２８が形成されている。
【００６１】
また、本実施形態においても、図１８に示すように、隣接する指挿入部２、３、４間の指股部６、７から開口部５の端縁にかけて区画シール部９が形成されており、該区画シール部９上にミシン目１０が形成されている。かかる構成は上記実施形態１と共通する。指股部６、７からミシン目１０に沿って指挿入具本体１を裂断する作用も実施形態１と同じであるため、その説明は省略する。
【００６２】
さらに本実施形態においては、親指を挿入する指挿入部２が設けられた指挿入具本体１の一側縁２９ａ側から、中指を挿入する指挿入部４が設けられた指挿入具本体１の他側縁２９ｂ側に向かって、ミシン目３０が斜めに形成されている。このミシン目３０は、指挿入具本体１の表裏両片１ａ、１ｂの双方に形成されている。このミシン目３０に沿って指挿入具本体１を分断することで、掌を覆う部分を除去することができる。このように掌を覆う部分を除去することで、上記実施形態１と同じ構成の指挿入具を得ることができる。
【００６３】
このように、本実施形態では、掌の部分をある程度覆うことができるような指挿入具として使用することができ、またミシン目３０に沿って指挿入具本体１を分断することで、上記実施形態１と同様に、掌の部分を覆わないような指挿入具として使用することができ、このような２種類の指挿入具を使用者が選択して使用することができる。
【００６４】
指挿入具本体１の全体が合成樹脂製シートからなる点、指挿入具本体１が表裏両片１ａ、１ｂからなる点、各指挿入部の指先側とは反対側の指挿入具本体１の基端部側に開口部５が形成されている点、開口部５を除く指挿入具本体１の周縁部にシール部８が形成されている点等の構成は実施形態１と共通する。
【００６５】
（実施形態７）
本実施形態においては、図１９に示すように、親指を挿入する指挿入部２、人指し指を挿入する指挿入部３、及び中指を挿入する指挿入部４の３本の指挿入部で指挿入具本体１が構成されており、この点で、上記実施形態１と共通する。また、本実施形態においても、上記実施形態１と同様に、親指、人指し指、中指の指挿入部２、３、４間の指股部６、７から開口部５側に至るように、区画シール部９及びミシン目１０が形成されている。
【００６６】
本実施形態においては、図１９に示すように、開口部５の端縁が各指挿入部２、３、４が形成されている方向と直交する方向に形成されており、この点で開口部５の端縁が各指挿入部２、３、４に対して斜めに形成されていた上記実施形態１と相違する。
【００６７】
そして本実施形態では、指挿入具本体１の縦方向の寸法が実施形態１に比べて短く形成されており、親指、人指し指、中指の指挿入部２、３、４の部分以外の、掌を被う指挿入具本体１の部分がさらに短く形成されている。これに伴い、区画シール部９及びミシン目１０の寸法も、実施形態１に比べて短く形成されている。
【００６８】
区画開口部５ａ、５ｂ、５ｃによって構成される開口部５の端縁が一直線状に形成されている点で上記実施形態１と共通しているので、該実施形態１で説明したように、多数の指挿入具を連続的に製造する上で、その製造を容易に行うことができる。
【００６９】
指股部６、７からミシン目１０に沿って指挿入具本体１を裂断する作用も実施形態１と同じであるため、その説明は省略する。
【００７０】
指挿入具本体１の全体が合成樹脂製シートからなる点、指挿入具本体１が表裏両片１ａ、１ｂからなる点、各指挿入部の指先側とは反対側の指挿入具本体１の基端部側に開口部５が形成されている点、開口部５を除く指挿入具本体１の周縁部にシール部８が形成されている点等の構成は実施形態１と共通する。
【００７１】
（実施形態８）
本実施形態においては、図２０に示すように、開口部５の端縁が各指挿入部２、３が形成されている方向と直交する方向に形成されており、指挿入具本体１の縦方向の寸法が実施形態１等に比べて短く形成されており、この点で上記実施形態７と共通する。
【００７２】
本実施形態の指挿入具本体１は、図２０に示すように、親指を挿入する指挿入部２、及び人指し指を挿入する指挿入部３を具備して構成されており、親指と人指し指との２本の指を挿入する指挿入部２、３を有して構成されている点で、親指、人指し指、中指の３本の指を挿入する指挿入部２、３、４を有して構成されている上記実施形態７の場合と相違する。
【００７３】
各指の指挿入部２、３間の指股部６からミシン目１０に沿って指挿入具本体１が裂断される作用は実施形態２の場合と同様であり、その説明は省略する。
【００７４】
指挿入具本体１の全体が合成樹脂製シートからなる点、指挿入具本体１が表裏両片１ａ、１ｂからなる点、各指挿入部の指先側とは反対側の指挿入具本体１の基端部側に開口部５が形成されている点、開口部５を除く手袋本体１の周縁部にシール部８が形成されている点等の構成は実施形態１と共通する。
【００７５】
（実施形態９）
本実施形態においては、図２１に示すように、開口部５の端縁が各指挿入部が形成されている方向と直交する方向に形成されており、指挿入具本体１の縦方向の寸法が実施形態１等に比べて短く形成されており、この点で上記実施形態７と共通する。
【００７６】
また本実施形態では、図２１に示すように、親指、人指し指、中指、薬指、小指の指挿入部２、３、４、２２、２３の５本の指挿入部を有して指挿入具本体１が構成されており、この点で上記実施形態５と共通する。
【００７７】
本実施形態では、図２１に示すように、区画開口部５ａ、５ｂ、５ｃ、５ｄ、５ｅによって構成される開口部５の端縁が一直線状に形成されており、この点で、開口部５の端縁が全体として湾曲して形成されていた実施形態５と相違している。このように区画開口部５ａ、５ｂ、５ｃ、５ｄ、５ｅによって構成される開口部５の端縁が一直線状に形成されている点で上記実施形態１と共通しているので、該実施形態１で説明したように、多数の指挿入具を連続的に製造する上で、その製造を容易に行うことができる。
【００７８】
指挿入具本体１の全体が合成樹脂製シートからなる点、指挿入具本体１が表裏両片１ａ、１ｂからなる点、各指挿入部の指先側とは反対側の指挿入具本体１の基端部側に開口部５が形成されている点、開口部５を除く手袋本体１の周縁部にシール部８が形成されている点等の構成は実施形態１と共通する。
【００７９】
（実施形態１０）
本実施形態においては、図２２に示すように、指挿入具本体１が、親指を挿入するための指挿入部２と、人指し指、中指、薬指、小指の４本の指を挿入しうる指挿入部３１とが形成された構成からなり、このように４本の指を挿入しうる指挿入部３１が形成されている点で、上記各実施形態のいずれの指挿入具１７とも相違している。
【００８０】
また本実施形態においては、同図のように、親指の指挿入部２と、４本の指の指挿入部２６との間の指股部６から開口部５側に至るように、区画シール部９及びミシン目１０が形成されている。
【００８１】
指挿入具本体１の全体が合成樹脂製シートからなる点、指挿入具本体１が表裏両片１ａ、１ｂからなる点、各指挿入部の指先側とは反対側の手袋本体１の基端部側に開口部５が形成されている点、開口部５を除く手袋本体１の周縁部にシール部８が形成されている点等の構成は実施形態１と共通する。
【００８２】
（その他の実施形態）
尚、図２３に示すように、指挿入具本体１の内面側にいわゆるエンボス加工を行って多数の凹凸２８を形成することも可能である。この場合には、挿入された指の不用意な抜けが、より確実に防止されることとなる。
【００８３】
さらに、上記実施形態では、開口部５の部分を除いて、指挿入具本体１の輪郭となる部分にシール部８を形成したが、このようなシール部８を形成することは本発明に必須の条件ではない。
【００８４】
さらに、上記実施形態の区画シール部９は、ミシン目１０の形成を行い易くする観点からは、形成されることが望ましいが、かかる区画シール部９を形成することも本発明に必須の条件ではない。
【００８５】
さらに、上記実施形態では、チューブ状の合成樹脂製の長尺シートを用いて指挿入具１７を製造したが、これに限らず、たとえば２枚のシート状の長尺シートを用いて指挿入具１７を製造することも可能である。この場合には、チューブ状の長尺シートを用いる場合のように、側縁を切断する工程が不要となる。いずれにしても、指挿入具１７を製造する方法や、その製造方法に用いる材料の形態等も限定されるものではない。
【００８６】
尚、本発明の指挿入具は、外食産業の店舗等において使用する場合に限らず、たとえば家庭での食事において使用することも可能である。
【００８７】
さらに、上記実施形態では、食材を摘むときに指挿入具を用いる場合について説明したが、本発明の指挿入具の用途は上記実施形態に限定されるものではなく、他の用途に用いることも可能である。
【００８８】
尚、本発明は、上述のように、指挿入具を指に挿入する際には、各指をそれぞれ指挿入部に挿入して指に指挿入具を着用する作業を容易に行うことができ、指挿入具を指に着用した後は、裂断線によって指股部から開口部に向かって指挿入具本体を裂断することができるので、油分等が指に付着するのを防止することができ、着脱が容易であるという従来の指挿入具の利点を生かしつつ、さらに指の動きをスムーズにすることができるものであるが、使用者の指の大きさによっては、指の動きをスムーズにすることに支障を感じない場合もある。
【００８９】
そのような場合には、指挿入具を指に着用した後においても、裂断線によって指挿入具本体を裂断する必要は必ずしもなく、各指の指挿入部が指股部を介して連設された状態のままで指挿入具を使用することも可能である。
【図１】
2013076194.tif 000003
【図２】
2013076194.tif 000004
【図３】
2013076194.tif 000005
【図４】
2013076194.tif 000006
【図５】
2013076194.tif 000007
【図６】
2013076194.tif 000008
【図７】
2013076194.tif 000009
【図８】
2013076194.tif 000010
【図９】
2013076194.tif 000011
【図１０】
2013076194.tif 000012
【図１１】
2013076194.tif 000013
【図１２】
2013076194.tif 000014
【図１３】
2013076194.tif 000015
【図１４】
2013076194.tif 000016
【図１５】
2013076194.tif 000017
【図１６】
2013076194.tif 000018
【図１７】
2013076194.tif 000019
【図１８】
2013076194.tif 000020
【図１９】
2013076194.tif 000021
【図２０】
2013076194.tif 000022
【図２１】
2013076194.tif 000023
【図２２】
2013076194.tif 000024
【図２３】
2013076194.tif 000025